(57)【要約】      （修正有）【課題】容器本体どうしを互いに連結することが可能なボトル型容器を提供する。【解決手段】容器本体２ａの底部５の雌ネジに容器本体２ｂの口部７の雄ネジ１０を螺合する。これにより容器本体２ａと容器本体２ｂとが連結される。なお、容器本体２ａにはキャップを取り付けておく。雌ネジは容器本体２ａ内へ膨出する膨出部１２の内面に形成されているので、容器本体２ａ、２ｂどうしを連結する場合に支障をきたすことはない。雌ネジは底部５の中心部分に備えられているので、容器本体２ａ、２ｂを直線状に連結することが可能である。【選択図】図３
0003224728.tif 000002
【実用新案登録請求の範囲】
【請求項１】
筒状に延びる胴部、前記胴部の下端側を閉塞する底部、前記胴部の上端に連続して設けられた頂部、及び前記頂部の上端に連続して形成され前記胴部より小径の円筒状で上端側に開口を備える口部及び前記口部の外周面に形成された雄ネジを有する容器本体と、前記雄ネジに螺合させることで前記口部の開口を閉鎖する状態に取り付けられる蓋体とを有するボトル型容器において、
前記容器本体の底部に前記口部の雄ネジと同じ雄ネジを螺合することが可能な雌ネジを形成したことを特徴とするボトル型容器。
【請求項２】
請求項１に記載されたボトル型容器において、
雌ネジは容器本体内へ膨出する膨出部の内面に形成されていることを特徴とするボトル型容器。
【請求項３】
請求項１または２に記載したボトル型容器において、
底部に形成された雌ネジは前記底部の中心部分に備えられていることを特徴とするボトル型容器。
【考案の詳細な説明】
【技術分野】
【０００１】
本考案はペットボトル等のボトル型容器に関するものである。
【背景技術】
【０００２】
ペットボトルに代表されるボトル型容器には、特許文献１に記載されたものがある。ボトル型容器は容器本体と蓋体とから成る。容器本体は筒状に延びており、底部と円筒状の口部を有している。口部は先端が開口し、外周面には雄ネジが形成されている。蓋体には雌ネジが形成され、この雌ネジを口部の雄ネジに螺合することで口部の開口を閉鎖するようになっている。
ペットボトルは、その容量の異なるものが多数存在するが、単体で使用するものとなっている。従って、災害時等において給水車から供給される水を受ける場合、ペットボトルごとにキャップを着脱する必要があるため、その分時間が掛かってしまうことになる。
ペットボトルを海などで溺れている人に向って投げ、浮き輪替わりに使用しようとすることもある。しかしながら、容量の小さいペットボトルでは十分な浮力を得られないおそれがある。
【先行技術文献】
【特許文献】
【０００３】
【特許文献１】特許第４８３８９０７号公報
【考案の概要】
【考案が解決しようとする課題】
【０００４】
本考案は上記従来の問題点に着目してなされたものであり、容器本体どうしを互いに連結することが可能なボトル型容器の提供を、その目的とする。
【課題を解決するための手段】
【０００５】
本考案は上記課題を解決するためになされたものであり、請求項１の考案に係るボトル型容器は、筒状に延びる胴部、前記胴部の下端側を閉塞する底部、前記胴部の上端に連続して設けられた頂部、及び前記頂部の上端に連続して形成され前記胴部より小径の円筒状で上端側に開口を備える口部及び前記口部の外周面に形成された雄ネジを有する容器本体と、前記雄ネジに螺合させることで前記口部の開口を閉鎖する状態に取り付けられる蓋体とを有するボトル型容器において、前記容器本体の底部に前記口部の雄ネジと同じ雄ネジを螺合することが可能な雌ネジを形成したことを特徴とするものである。
【０００６】
請求項２の考案に係るボトル型容器は、請求項１に記載されたボトル型容器において、雌ネジは容器本体内へ膨出する膨出部の内面に形成されていることを特徴とするものである。
【０００７】
請求項３の考案に係るボトル型容器は、請求項１または２に記載したボトル型容器において、底部に形成された雌ネジは前記底部の中心部分に備えられていることを特徴とするものである。
【考案の効果】
【０００８】
本考案のボトル型容器では、底部に口部の雄ネジと同じ雄ネジを螺合することが可能な雌ネジを形成したものであり、雌ネジに他のボトル型容器の口部の雄ネジを螺合することによって、ボトル型容器どうしを連結することが可能となる。従って、口部の雄ネジが螺合される雌ネジが形成された容器本体の底部に、口部に連通する穴を開けることで、連結された複数の容器本体を一つの容器として使用することが可能となる。
また、ボトル型容器を複数連結することで、例えば、ボトル型容器を海などで溺れている人に向って投げ、浮き輪替わりに使用しようとする場合でも十分な浮力を得ることが可能となる。
【図面の簡単な説明】
【０００９】
【図１】本考案の実施の形態に係るペットボトルの斜視図である。
【図２】図１のＡ−Ａ断面図である。
【図３】図１のペットボトルの容器本体どうしを連結した状態の連結部分の一部断面図である。
【図４】図１のペットボトルの容器本体どうしを連結した状態を示す側面図である。
【図５】図１のペットボトルの容器本体の膨出部に穴を開けた状態における図２に対応する断面図である。
【考案を実施するための形態】
【００１０】
本考案の実施の形態に係るボトル型容器としてのペットボトル１を図面にしたがって説明する。
このペットボトル１は２リットルの容量のもので、図１に示すように容器本体２と蓋体としてのキャップ３とから成る。
容器本体２の構成を説明する。
容器本体２はポリエステル樹脂であるポリエチレンテレフタレート（ＰＥＴ）によって構成されている。
【００１１】
符号４は胴部を示し、この胴部４は筒状に延びており、下端側は底部５によって閉塞されている。また、胴部４には、その上端に連続して頂部６が一体に形成されており、この頂部６は上端にいくに従って徐々に縮径している。頂部６には、その上端に連続して口部７が形成されている。口部７は胴部４より小径の円筒状に形成されており、上端側に開口８が形成されている。口部７の外周面には雄ネジ１０が形成されている。また、口部７の下端部には円環状の連結部９が取り付けられている。
【００１２】
図２に示すように容器本体２の底部５には雄ネジ１０と同じ雄ネジを螺合することが可能な雌ネジ１１が形成されている。雌ネジ１１は容器本体２内へ膨出する膨出部１２の内面に形成されている。膨出部１２は口部７がぴったり嵌るサイズの凹部によって構成されている。この雌ネジ１１は底部５の中心部分に備えられている。
【００１３】
キャップ３の内周面には雄ネジ１０に螺合する雌ネジ１３が形成されている。キャップ３は、雌ネジ１３を雄ネジ１０に螺合させることで口部７の開口８を閉鎖する状態に取り付けられる。
なお、キャップ３は連結部９に部分的に連結されており、最初に開封する際にキャップ３と連結部９との連結部分が破断するようになっている。
【００１４】
このペットボトル１の使用方法を説明する。
以下の説明において複数の同じ容器本体２を区別するために、符号２の後にａ、ｂ、ｃを付すものとする。
図３に示すように容器本体２ａの底部５の雌ネジ１１に容器本体２ｂの口部７の雄ネジ１０を螺合する。これにより容器本体２ａと容器本体２ｂとが連結される。これと同様にして図４に示すように容器本体２ａ、２ｂ、２ｃを連結する。なお、容器本体２ａにはキャップ３を取り付けておく。
【００１５】
雌ネジ１１は容器本体２内へ膨出する膨出部１２に形成されているので、雌ネジ１１が底部５より容器本体２内へ入り込んでおり、容器本体２どうしを連結する場合に支障をきたすことはない。雌ネジ１１は底部５の中心部分に備えられているので、容器本体２ａ、２ｂ、２ｃを直線状に連結することが可能である。
【００１６】
このように、ペットボトル１では複数の容器本体２を連結することが可能となる。従って、図５に示すように膨出部１２に穴１４を開けておけば、容器本体２ａと容器本体２ｂの口部７の開口８とが穴１４を介して連通することになり、これは容器本体２ｂと容器本体２ｃとの関係においても同様である。すなわち、口部７に連通する穴１４を開けることで、連結された３つの容器本体２ａ、２ｂ、２ｃを一つの容器として使用することが可能となる。
また、容器本体２ａ、２ｂ、２ｃ…を連結することで、連結した容器本体２ａ、２ｂ、２ｃ…を海などで溺れている人に向って投げ、浮き輪替わりに使用しようとする場合でも十分な浮力を得ることが可能となる。
なお、容器本体２ａの底部５の雌ネジ１１に容器本体２ｂの口部７の雄ネジ１０を螺合する際に、この雄ネジ１０の外周面に薄い樹脂シート等を巻き付けておけば、雄ネジ１０と雌ネジ１１との隙間から液体が漏出するのを完全に防止することができる。
【００１７】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態ではペットボトルを示したが、容器本体を構成する素材はＰＥＴ樹脂以外の樹脂材料を用いることができると共に、樹脂材料以外の素材、例えば、鉄、アルミニウム等の金属を用いることも可能である。
【００１８】
なお、雄ネジと雌ネジはネジ山が連続するタイプのものに限定されず、例えば、ネジ山の一部が欠落しており雄ネジまたは雌ネジを所定角度回せば、ネジ山が無い部分どうしが対向して、容器本体どうしの連結を解除できるものとしてもよいのは勿論である。
【産業上の利用可能性】
【００１９】
本考案はペットボトル等のボトル型容器の製造業に利用可能性を有する。
【符号の説明】
【００２０】
１…ペットボトル    ２…容器本体    ３…キャップ    ４…胴部        ５…底部
６…頂部            ７…口部        ８…開口        ９…連結部    １０…雄ネジ
１１…雌ネジ        １２…膨出部    １３…雌ネジ    １４…穴
【図１】
0003224728.tif 000003
【図２】
0003224728.tif 000004
【図３】
0003224728.tif 000005
【図４】
0003224728.tif 000006
【図５】
0003224728.tif 000007